(57)【特許請求の範囲】
【請求項１】
機能を示す機能情報を複数表す機能一覧を表示する携帯端末であって、
前記機能一覧を識別する機能一覧識別情報に詳細機能情報を対応付けて格納する機能一覧格納部と、
前記機能一覧格納部から前記詳細機能情報を削除または前記機能一覧格納部に前記詳細機能情報を追加すべき指示をユーザから受け付ける入力部と、
前記機能一覧格納部に対して、前記機能一覧識別情報に対応付けられた前記詳細機能情報を削除または追加する機能一覧変更部と、
前記機能一覧格納部から前記詳細機能情報を抽出する機能情報抽出部と、
前記機能情報抽出部が抽出した前記詳細機能情報を含む機能一覧を表示する表示部と
を備え、
前記入力部が前記詳細機能情報を削除する指示を受け付けた場合に、前記機能情報抽出部は前記機能一覧識別情報に対応付けて前記機能一覧格納部に格納されている詳細機能情報を抽出し、前記表示部は抽出された詳細機能情報を表示し、前記入力部は前記表示部に表示された詳細機能情報から削除すべき詳細機能情報の選択を受け付け、前記機能一覧変更部は選択された詳細機能情報を前記機能一覧格納部から削除し、
前記入力部が前記詳細機能情報を追加する指示を受け付けた場合に、前記機能情報抽出部は全ての詳細機能情報を抽出し、前記表示部は抽出された詳細機能情報を表示し、前記入力部は前記表示部に表示された詳細機能情報に追加すべき詳細機能情報の選択を受け付け、前記機能一覧変更部は選択された詳細機能情報を前記機能一覧格納部に追加する
携帯端末。
【発明の詳細な説明】
【０００１】
【発明の属する技術分野】
本発明は、携帯端末に関する。特に本発明は、機能の一覧を表示する携帯端末に関する。
【０００２】
【従来の技術】
近年、携帯電話等の携帯端末が一般に普及し、携帯端末の多機能化がすすんでいる。
【０００３】
【発明が解決しようとする課題】
しかし、近年の携帯端末は、多機能化にともなって、ユーザインタフェースが複雑化しているため、ユーザは、機能を十分に使いこなすことが困難になっている。
【０００４】
そこで本発明は、上記の課題を解決することのできる携帯端末を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、機能を示す機能情報を複数表す機能一覧を表示する携帯端末であって、前記機能一覧を識別する機能一覧識別情報に詳細機能情報を対応付けて格納する機能一覧格納部と、前記機能一覧格納部から前記詳細機能情報を削除または前記機能一覧格納部に前記詳細機能情報を追加すべき指示をユーザから受け付ける入力部と、前記機能一覧格納部に対して、前記機能一覧識別情報に対応付けられた前記詳細機能情報を削除または追加する機能一覧変更部と、前記機能一覧格納部から前記詳細機能情報を抽出する機能情報抽出部と、前記機能情報抽出部が抽出した前記詳細機能情報を含む機能一覧を表示する表示部とを備え、前記入力部が前記詳細機能情報を削除する指示を受け付けた場合に、前記機能情報抽出部は前記機能一覧識別情報に対応付けて前記機能一覧格納部に格納されている詳細機能情報を抽出し、前記表示部は抽出された詳細機能情報を表示し、前記入力部は前記表示部に表示された詳細機能情報から削除すべき詳細機能情報の選択を受け付け、前記機能一覧変更部は選択された詳細機能情報を前記機能一覧格納部から削除し、前記入力部が前記詳細機能情報を追加する指示を受け付けた場合に、前記詳細機能情報抽出部は全ての詳細機能情報を抽出し、前記表示部は抽出された詳細機能情報を表示し、前記入力部は前記表示部に表示された詳細機能情報に追加すべき詳細機能情報の選択を受け付け、前記機能一覧変更部は選択された詳細機能情報を前記機能一覧格納部に追加する携帯端末が提供される。
【０００７】
表示部は、抽出部が抽出した機能情報を含む機能一覧とともに、対応する機能一覧識別情報を表示してもよい。
【０００８】
機能一覧格納部は、予め定められた複数の機能情報に対応付けて、機能一覧を識別する機能一覧識別情報を格納してもよい。
【０００９】
なお上記の発明の概要は、本発明の必要な特徴の全てを列挙したものではなく、これらの特徴群のサブコンビネーションも又発明となりうる。
【００１０】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１１】
図１は、本実施の形態に特徴的な携帯端末１０の機能構成を示すブロック図である。携帯端末１０は、携帯端末１０の機能を示す機能情報の機能一覧と、機能の詳細機能を示す詳細機能情報の詳細機能一覧とを表示する。携帯端末１０は、入力部１００と、制御部２００と、表示画面生成部３００と、表示部４００と、機能一覧格納部５００とを備える。制御部２００は、機能一覧変更部２１０と、機能情報抽出部２２０と、機能処理部２３０とを有する。機能一覧格納部５００は、詳細機能一覧を識別する機能一覧識別情報を、詳細機能一覧に含まれる詳細機能情報に対応付けて格納する。
【００１２】
入力部１００は、入力情報をユーザから受け付ける。機能一覧変更部２１０は、入力部１００が受け付けた入力情報に基づいて、機能一覧格納部５００に格納されている情報を変更する。ここで機能一覧変更部２１０は、機能一覧格納部５００において、詳細機能識別情報の追加及び削除の処理を行う。機能情報抽出部２２０は、入力部１００が受け付けた入力情報に基づいて、詳細機能情報を機能一覧格納部５００から抽出する。機能処理部２３０は、入力部１００が受け付けた入力情報に基づいて、詳細機能を実行する。
【００１３】
表示画面生成部３００は、制御部２００から情報を受け取る。また表示画面生成部３００は、制御部２００から受け取った情報に基づいて表示部４００に表示させる表示画面を生成する。表示部４００は、表示画面生成部３００が生成した表示画面を表示する。
【００１４】
図２は、機能一覧格納部５００のデータフォーマットの一例を示す。機能一覧格納部５００は、詳細機能一覧に関する情報を格納するテーブルを、機能情報毎に有する。それぞれのテーブルは、機能一覧識別情報フィールドと、詳細機能情報フィールドと、使用フィールドとを含む。
【００１５】
機能一覧識別情報フィールドは、詳細機能一覧を識別する機能一覧識別情報を格納する。機能一覧識別情報フィールドは、例えば「ユーザ設定表示」と、「基本表示」と、「全機能表示」とを機能一覧識別情報として格納する。「ユーザ設定表示」は、携帯端末１０が有する詳細機能のうち、ユーザが選択した詳細機能によって構成された詳細機能一覧を示す。「基本表示」は、携帯端末１０が有する詳細機能のうち、予め設定された詳細機能によって構成される詳細機能一覧を示す。「全機能表示」は、携帯端末１０が有するすべての詳細機能によって構成される詳細機能一覧を示す。
【００１６】
詳細機能情報フィールドは、詳細機能一覧に含まれる詳細機能を示す詳細機能情報を格納する。
【００１７】
使用フィールドは、対応する詳細機能一覧を使用している旨を示す使用情報または使用していない旨を示す不使用情報を格納する。ここで携帯端末１０は、「ユーザ設定表示」と、「基本表示」と、「全機能表示」のうち、使用する表示方法を示す入力情報をユーザから受け付けた場合に、機能一覧格納部５００の使用フィールドを更新する。
【００１８】
従って、機能一覧格納部５００が、詳細機能一覧を識別する機能一覧識別情報を、使用情報または不使用情報とに対応付けて格納することにより、携帯端末１０は、詳細機能一覧を、ユーザの要望に応じた表示方法で表示することができる。例えば「ユーザ設定表示」を示す入力情報をユーザから受け付けた場合に、携帯端末１０は、ユーザが選択した詳細機能情報の一覧である詳細機能一覧を表示することができる。また「基本表示」を示す入力情報をユーザから受け付けた場合に、携帯端末１０は、予め設定された詳細機能情報の一覧である詳細機能一覧を表示することができる。また「全機能表示」を示す入力情報をユーザから受け付けた場合に、携帯端末１０は、携帯端末１０が有するすべての詳細機能情報の詳細機能一覧を表示することができる。
【００１９】
図３は、携帯端末１０の動作を示すフローチャートである。まず、入力部１００が、機能一覧を表示すべき指示を示す指示情報を入力情報としてユーザから受け付けると（Ｓ１００）、機能処理部２３０は、入力部１００が受け付けた指示情報を表示画面生成部３００に送る。次に表示画面生成部３００は、指示情報を受け取ると、機能一覧の表示画面を生成する。次に表示部４００は、表示画面生成部３００が生成した機能一覧の表示画面を表示する（Ｓ１０２）。
【００２０】
次に入力部１００が、表示部４００が表示した機能一覧に含まれる複数の機能情報のうち、いずれかの機能情報をユーザから受け付けた場合に（Ｓ１０４）、機能処理部２３０は、入力部１００が受け付けた機能情報が、詳細機能一覧の設定を示す「一覧設定」であるか否かを判断する（Ｓ１０６）。入力部１００が受け付けた機能情報が、詳細機能一覧の設定を示す「一覧設定」である場合に、機能一覧変更部２１０は、設定処理を行う（Ｓ１０７）。
【００２１】
一方Ｓ１０６において、入力部１００が受け付けた機能情報が、「一覧設定」と異なる機能情報である場合に、機能処理部２３０は、入力部１００が受け付けた機能情報が、詳細機能一覧の詳細な設定を示す「詳細設定」であるか否かを判断する（Ｓ１１０）。機能処理部２３０は、入力部１００が受け付けた機能情報が、「詳細設定」と異なる場合に、受け付けた機能情報が示す機能の処理を行う（Ｓ１１４）。
【００２２】
一方Ｓ１１０において、機能処理部２３０は、入力部１００が受け付けた機能情報が、「詳細設定」である場合に、詳細機能一覧の表示方法の一覧を表示すべき旨を示す情報を表示画面生成部３００に送る。表示画面生成部３００は、詳細機能一覧の表示方法の一覧を表示すべき旨を示す情報を受け取ると、詳細機能一覧の表示方法の一覧を含む表示画面を生成する。次に表示部４００は、表示画面生成部３００が生成した表示画面を表示する（Ｓ１１２）。ここで表示部４００は、表示方法として、例えば「ユーザ設定表示」、「基本表示」、及び「全機能表示」を表示する。
【００２３】
次に入力部１００が、表示部４００が表示した表示方法の一覧に含まれる表示方法のうち、「ユーザ設定表示」を示す入力情報を受け付けた場合に（Ｓ１１６）、機能一覧変更部２１０は、「ユーザ設定表示」に関する設定変更処理を行う（Ｓ１２０）。
【００２４】
一方Ｓ１１６において、入力部１００が、表示部４００が表示した表示方法の一覧に含まれる表示方法のうち、「基本表示」、または「全機能表示」を示す入力情報を受け付けた場合に、機能一覧変更部２１０は、使用情報を、入力情報が示す表示方法に対応付けて機能一覧格納部５００に格納する。また機能一覧変更部２１０は、不使用情報を、入力情報が示す表示方法以外の表示方法に対応付けて機能一覧格納部５００に格納する（Ｓ１１８）。
【００２５】
図４は、図３のＳ１２０における携帯端末１０の詳細な動作を示すフローチャートである。まず機能一覧変更部２１０は、「ユーザ設定表示」を示す入力情報を入力部１００から受け取る。次に機能一覧変更部２１０は、機能一覧格納部５００において、「ユーザ設定表示」に対応する詳細機能情報の追加を示す機能追加情報と、「ユーザ設定表示」に対応する詳細機能情報の削除を示す機能削除情報とを表示画面生成部３００に送る。表示画面生成部３００は、機能追加情報と機能削除情報とを含む表示画面を生成する。次に表示部４００は、表示画面生成部３００が生成した表示画面を表示する（Ｓ２００）。
【００２６】
入力部１００が、表示部４００が表示した機能追加情報と機能削除情報のうち、機能追加情報をユーザから受け付けた場合に（Ｓ２０２）、機能情報抽出部２２０は、機能一覧格納部５００において、ユーザ設定表示に対応付けて格納されておらず、かつ全機能表示に対応付けて格納されている詳細機能情報を抽出する。次に表示画面生成部３００は、機能情報抽出部２２０が抽出した詳細機能情報を含む表示画面を生成する。次に表示部４００は、表示画面生成部３００が生成した表示画面を表示する（Ｓ２０４）。
【００２７】
次に入力部１００が、表示部４００が表示した詳細機能のうち、いずれかの詳細機能を示す詳細機能情報を受け付けた場合に（Ｓ２０６）、機能一覧変更部２１０は、入力部１００が受け付けた詳細機能情報をユーザ設定表示に対応付けて機能一覧格納部５００に格納する（Ｓ２０８）。
【００２８】
次に機能情報抽出部２２０は、ユーザ設定表示に対応付けて機能一覧格納部５００に格納されている詳細機能情報を抽出する。次に表示画面生成部３００は、機能情報抽出部２２０が抽出した詳細機能情報を含む表示画面を生成する。次に表示部４００は、表示画面生成部３００が生成した表示画面を表示する（Ｓ２１０）。
【００２９】
一方Ｓ２０２において、入力部１００が、機能追加情報をユーザから受け付けず、かつ入力部１００が、機能削除情報をユーザから受け付けた場合に（Ｓ２１２）、機能情報抽出部２２０は、ユーザ設定表示に対応付けて機能一覧格納部５００に格納されている詳細機能情報を抽出する。次に表示画面生成部３００は、機能情報抽出部２２０が抽出した詳細機能情報を含む表示画面を生成する。次に表示部４００は、表示画面生成部３００が生成した表示画面を表示する（Ｓ２１４）。
【００３０】
入力部１００が、表示画面生成部３００が表示した詳細機能情報のうち、いずれかを示す入力情報をユーザから受け付けた場合に（Ｓ２１６）、機能一覧変更部２１０は、入力部１００が受け付けた詳細機能情報を、機能一覧格納部５００のユーザ設定表示に対応するフィールドから削除する（Ｓ２１８）。
【００３１】
次に機能情報抽出部２２０は、ユーザ設定表示に対応付けて機能一覧格納部５００に格納されている詳細機能情報を抽出する。次に表示画面生成部３００は、機能情報抽出部２２０が抽出した詳細機能情報を含む表示画面を生成する。次に表示部４００は、表示画面生成部３００が生成した表示画面を表示する（Ｓ２２０）。
【００３２】
図５は、図３のＳ１０７における携帯端末１０の詳細な動作を示すフローチャートである。まず機能処理部２３０は、詳細機能一覧の表示方法の一覧を表示すべき旨を示す情報を表示画面生成部３００に送る。表示画面生成部３００は、詳細機能一覧の表示方法の一覧を表示すべき旨を示す情報を受け取ると、詳細機能一覧の表示方法の一覧を含む表示画面を生成する。次に表示部４００は、表示画面生成部３００が生成した表示画面を表示する（Ｓ３００）。
【００３３】
入力部１００が、表示部４００が表示した表示方法の一覧に含まれる表示方法のうち、いずれかを示す入力情報を受け付けた場合に（Ｓ３０２）、機能一覧変更部２１０は、機能一覧格納部５００において、入力部１００が受け付けた入力情報が示す表示方法に対応する使用フィールドに使用情報を格納する。また機能一覧変更部２１０は、入力部１００が受け付けた入力情報を表示画面生成部３００に送る。表示画面生成部３００は、受け取った入力情報が示す表示方法を含む表示画面を生成する。次に表示部４００は、表示画面生成部３００が生成した表示画面を表示する（Ｓ３０４）。
【００３４】
図６は、図５において携帯端末１０が詳細機能一覧の表示方法を決定する際に表示部４００が表示する表示画面の一例を示す。表示画面４０２は、図３のＳ１０２において表示部４００が表示する表示画面の一例を示す。表示画面４０２は、携帯端末１０の機能を示す機能情報の一覧である機能一覧を表示する。ユーザが機能情報のうち、「１．一覧設定」を選択すると、表示部４００は、表示画面４０４を表示する。
【００３５】
表示画面４０４は、図５のＳ３００において表示部４００が表示する表示画面の一例を示す。ユーザが表示されている表示方法のうち、「１．ユーザ設定表示」を選択すると、表示部４００は、表示画面４０６を表示する。
【００３６】
表示画面４０６は、図５のＳ３０４において表示部４００が表示する表示画面の一例を示す。表示画面４０６は、「ユーザ設定表示に設定しました」という完了情報を表示する。
【００３７】
図７は、図４において携帯端末１０が「ユーザ設定表示」に関する設定変更処理を行う際に表示部４００が表示する表示画面の一例を示す。表示画面４０８は、図３のＳ１０２において表示部４００が表示する表示画面の一例を示す。表示画面４０８は、携帯端末１０の機能を示す機能情報の一覧である機能一覧を表示する。ユーザが機能情報のうち、「４．詳細設定」を選択すると、表示部４００は、表示画面４０９を表示する。
【００３８】
表示画面４０９は、図３のＳ１１２において表示部４００が表示する表示画面の一例を示す。表示画面４０９は、ユーザが表示されている表示方法のうち、「１．ユーザ設定表示」を選択すると、表示部４００は、表示画面４１０を表示する。
【００３９】
表示画面４１０は、図４のＳ２００において表示部４００が表示する表示画面の一例を示す。ユーザが「２．機能削除」を選択すると、表示部４００は、表示画面４１２を表示する。
【００４０】
表示画面４１２は、図４のＳ２１４において表示部４００が表示する表示画面の一例を示す。表示画面４１２は、ユーザ設定表示に対応付けて機能一覧格納部５００に格納されている詳細機能の一覧を表示する。ユーザが、詳細機能のうち、例えば「１．時刻設定」を選択すると、表示部４００は、表示画面４１４を表示する。表示画面４１４は、「時刻設定機能削除しました」という完了情報を表示する。
【００４１】
一方、表示画面４１０において、ユーザが「１．機能追加」を選択すると、表示部４００は、表示画面４１６を表示する。表示画面４１６は、ユーザ設定表示に対応付けて機能一覧格納部５００に格納されていない詳細機能の一覧を表示する。表示画面４１６において、ユーザが詳細機能のうち、例えば「１．留守番電話」を選択すると、表示部４００は、表示画面４１８を表示する。表示画面４１８は、「留守番電話機能追加しました」という完了情報を表示する。
【００４２】
図８は、表示部４００が表示する詳細機能一覧の表示画面例を示す。ここでは、携帯端末１０の機能である「音設定」の詳細機能一覧を用いて説明する。図８（ａ）は、ユーザ設定表示の詳細機能一覧の表示画面例を示す。ユーザ設定表示の詳細機能一覧は、ユーザが予め登録した詳細機能を含む。図８（ｂ）は、基本表示の詳細機能一覧の表示画面例を示す。基本表示の詳細機能一覧は、携帯端末１０に予め設定されている詳細機能を含む。図８（ｃ）は、全機能表示の詳細機能一覧の表示画面例を示す。
【００４３】
表示部４００が、図７の表示画面４０９を表示することによって、ユーザは、詳細機能一覧の表示方法を選択することができる。また図４に示すように携帯端末１０が、機能一覧格納部５００に格納されている詳細機能情報の追加及び削除の処理を行うことによって、携帯端末１０は、ユーザが所望する詳細機能のみを詳細機能一覧として表示部４００に表示させることができる。
【００４４】
以上、本発明を実施の形態を用いて説明したが、本発明の技術的範囲は上記実施の形態に記載の範囲には限定されない。上記実施の形態に、多様な変更又は改良を加えることができる。例えば、表示部４００は、詳細機能一覧を表示する際に、詳細機能一覧とともに機能一覧識別情報を表示してもよい。その様な変更又は改良を加えた形態も本発明の技術的範囲に含まれ得ることが、特許請求の範囲の記載から明らかである。
【００４５】
【発明の効果】
上記説明から明らかなように、本発明によればユーザインタフェースを簡易化した携帯端末を提供することができる。
【図面の簡単な説明】
【図１】本実施の形態に特徴的な携帯端末１０の機能構成を示すブロック図である。
【図２】機能一覧格納部５００のデータフォーマットの一例を示す図である。
【図３】携帯端末１０の動作を示すフローチャートである。
【図４】図３のＳ１２０における携帯端末１０の詳細な動作を示すフローチャートである。
【図５】図３のＳ１０７における携帯端末１０の詳細な動作を示すフローチャートである。
【図６】図５において携帯端末１０が詳細機能一覧の表示方法を決定する際に表示部４００が表示する表示画面の一例を示す図である。
【図７】図４において携帯端末１０が「ユーザ設定表示」に関する設定変更処理を行う際に表示部４００が表示する表示画面の一例を示す図である。
【図８】図８（ａ）は、ユーザ設定表示の詳細機能一覧の表示画面例を示す図である。
図８（ｂ）は、基本表示の詳細機能一覧の表示画面例を示す図である。
図８（ｃ）は、全機能表示の詳細機能一覧の表示画面例を示す図である。
【符号の説明】
１０  携帯端末
１００  入力部
２００  制御部
２１０  機能一覧変更部
２２０  機能情報抽出部
２３０  機能処理部
３００  表示画面生成部
４００  表示部
５００  機能一覧格納部
【図１】
0004118582.tif 000002
【図２】
0004118582.tif 000003
【図３】
0004118582.tif 000004
【図４】
0004118582.tif 000005
【図５】
0004118582.tif 000006
【図６】
0004118582.tif 000007
【図７】
0004118582.tif 000008
【図８】
0004118582.tif 000009